Podtech/llm-jp-corpus-v4-ja_patent huggingface dataset:
【手続補正書】
【提出日】平成27年1月26日(2015.1.26)
【手続補正１】
【補正対象書類名】特許請求の範囲
【補正対象項目名】全文
【補正方法】変更
【補正の内容】
【特許請求の範囲】
【請求項１】
円筒形状の静磁場発生磁石と、
前記静磁場発生磁石のボア内に軸方向を共通にして配置された円筒状の傾斜磁場コイルと、を備え
前記静磁場発生磁石から支持構造を介して前記傾斜磁場コイルを支持する磁気共鳴イメージング装置であって、
前記傾斜磁場コイルは、下部の少なくとも一部において、前記軸方向の長さが、前記静磁場発生磁石の前記軸方向の長さより長く形成され、
前記支持構造は、振動減衰器を備えて、前記傾斜磁場コイルの両端下部にそれぞれ接続されていることを特徴とする磁気共鳴イメージング装置。
【請求項２】
請求項１記載の磁気共鳴イメージング装置において、
前記支持構造は、前記傾斜磁場コイルの配置位置を調整するための位置調整機構を有することを特徴とする磁気共鳴イメージング装置。
【請求項３】
請求項２記載の磁気共鳴イメージング装置において、
前記位置調整機構は、前記静磁場発生磁石が発生する静磁場の空間的不均一磁場成分に応じて、前記傾斜磁場コイルの配置位置を調整したものであることを特徴する磁気共鳴イメージング装置。
【請求項４】
請求項１乃至３のいずれか一項に記載の磁気共鳴イメージング装置において、
前記振動減衰器は、防振ダンパであることを特徴とする磁気共鳴イメージング装置。
【請求項５】
請求項４記載の磁気共鳴イメージング装置において、
前記傾斜磁場コイルは、前記防振ダンパのクリープの順方向とは逆方向に配置位置を予め変位させて配置されることを特徴とする磁気共鳴イメージング装置。
【請求項６】
請求項１乃至５のいずれか一項に記載の磁気共鳴イメージング装置において、
前記傾斜磁場コイルは、前記静磁場発生磁石が発生する静磁場の空間的均一度を調整するための磁性シム部材が複数配置されていることを特徴とする磁気共鳴イメージング装置。
【請求項７】
請求項６記載の磁気共鳴イメージング装置において、
前記磁性シム部材の各々は、該磁性シム部材に作用する電磁力が所定の範囲内となるように配置されていることを特徴とする磁気共鳴イメージング装置。
【請求項８】
請求項１乃至７のいずれか一項に記載の磁気共鳴イメージング装置において、
前記軸から見た前記支持構造の角度範囲は２０度〜４５度であることを特徴とする磁気共鳴イメージング装置。
【手続補正２】
【補正対象書類名】明細書
【補正対象項目名】０００７
【補正方法】変更
【補正の内容】
【０００７】
振動および騒音を低減し、かつ構造を簡素化する技術としては、減衰機能を有する。例えば防振ゴムなどの防振ダンパを介して、傾斜磁場コイルを静磁場発生磁石から支持することで、傾斜磁場コイルから静磁場発生磁石へ振動の固体伝播を軽減する構造が考案されている。(特許文献1参照)
【手続補正３】
【補正対象書類名】明細書
【補正対象項目名】００１２
【補正方法】変更
【補正の内容】
【００１２】
上記目的を達成するために、本発明のMRI装置は、円筒形状の静磁場発生磁石と、静磁場発生磁石のボア内に軸方向を共通にして配置された円筒状の傾斜磁場コイルと、を備え、静磁場発生磁石から支持構造を介して傾斜磁場コイルを支持するものであって、傾斜磁場コイルは、下部の少なくとも一部において、軸方向の長さが、静磁場発生磁石の軸方向の長さより長く形成され、支持構造は、振動減衰器を備えて、傾斜磁場コイルの両端下部にそれぞれ接続されていることを特徴とする。
【手続補正４】
【補正対象書類名】明細書
【補正対象項目名】００４３
【補正方法】変更
【補正の内容】
【００４３】
図2は、本発明のMRI装置のうち、静磁場発生磁石102である円筒形状の超電導磁石203と、その円筒ボア(ボア)206内に配置された傾斜磁場コイル(ASGC)103が組み立てられた状態の斜視図を示す。また、図3は、図2の構成を、超電導磁石203の軸方法(中心軸(Z方向))205を通り上下方向(Y方向)に並行な平面で切断した断面図を示す。
【手続補正５】
【補正対象書類名】明細書
【補正対象項目名】００６５
【補正方法】変更
【補正の内容】
【００６５】
また、ASGC103の静磁場発生磁石のボア206内での変位方向および変位量に応じて、ある特定の級数項が変化する。このことから、ある特定の級数項の変化に基づいて、経年変化によりどの方向にどの位の量だけ、クリープ(変位)したかを見積ることが可能である。
【手続補正６】
【補正対象書類名】明細書
【補正対象項目名】００６６
【補正方法】変更
【補正の内容】
【００６６】
図7には、ASGC103が、静磁場発生磁石のボア206内で、Z方向とY方向にクリープにより変位した場合の不整磁場成分の径時変化の一例を示す。横軸は経過時間(例えば、1〜10,000時間)、縦軸は静磁場の空間的均一度を乱す不整磁場成分の変化量(例えば、-0.3〜+0.3ppm at 50cmDSV)を示す。701は、Z方向の不整磁場(例えばZ3項)の径時変化を示し、702は、Y方向の不整磁場(例えばZ2Y項)の径時変化を示す。
【手続補正７】
【補正対象書類名】明細書
【補正対象項目名】００８６
【補正方法】変更
【補正の内容】
【００８６】
101  被検体、102  静磁場発生磁石、103  傾斜磁場コイル、104  送信RFコイル、105  RF受信コイル、106  信号検出部、107  信号処理部、108  全体制御部、109  傾斜磁場電源、110  RF送信部、111  計測制御部、112  ベッド、113メモリー、114  演算処理部、115  内部記憶部、117、外部記憶部、118  表示・操作部
【手続補正８】
【補正対象書類名】図面
【補正対象項目名】図３
【補正方法】変更
【補正の内容】
【図３】
2013154141.tif 000001
【手続補正書】
【提出日】平成27年1月29日(2015.1.29)
【手続補正１】
【補正対象書類名】特許請求の範囲
【補正対象項目名】全文
【補正方法】変更
【補正の内容】
【特許請求の範囲】
【請求項１】
遊技の主たる制御を行う主制御手段と、その主制御手段からの従制御信号に基づいて制御を行う従制御手段と、その従制御手段からの指示に基づいて演出を行う演出実行手段と、を備え、入賞役に当選すると遊技者が所定の遊技価値を獲得可能な入賞役遊技が実行される遊技機であって、
隣接して設けられた遊技機に対して赤外線通信により信号を送信する送信手段と、
前記隣接して設けられた遊技機から赤外線通信により送信される信号を受信する受信手段と、を備え、
前記従制御手段は、
前記従制御信号に基づいて行われる制御に関する情報を含む信号を、前記隣接して設けられた遊技機に対して送信するように、前記送信手段を制御する送信制御手段と、
前記受信手段によって前記隣接して設けられた遊技機より信号を受信した場合に、該信号と前記従制御信号とに基づいて、前記演出実行手段に所定の演出を実行させるよう指示を行う指示手段と、を備えることを特徴とする遊技機。
【請求項２】
前記送信手段は、第１搬送波周波数で、隣接して設けられた遊技機に対して赤外線通信により信号を送信し、
前記受信手段は、前記隣接して設けられた遊技機から第１搬送波周波数とは異なる第２搬送波周波数で赤外線通信により送信される信号を受信することを特徴とする請求項１記載の遊技機。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】変更
【補正の内容】
【０００８】
請求項２記載の遊技機は、請求項１記載の遊技機において、前記送信手段は、第１搬送波周波数で、隣接して設けられた遊技機に対して赤外線通信により信号を送信し、前記受信手段は、前記隣接して設けられた遊技機から第１搬送波周波数とは異なる第２搬送波周波数で赤外線通信により送信される信号を受信する。
【手続補正４】
【補正対象書類名】明細書
【補正対象項目名】０００９
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
請求項２記載の遊技機によれば、請求項１記載の遊技機の奏する効果に加え、次の効果を奏する。即ち、送信手段により、隣接して設けられた遊技機に対して第１搬送波周波数で赤外線通信により信号が送信される。また、隣接して設けられた遊技機から第１搬送波周波数とは異なる第２搬送波周波数で赤外線により送信された信号が、受信手段によって受信される。ここで、仮に、自機の受信手段が、隣接して設けられた遊技機から照射された赤外線を、その隣接して設けられた遊技機の受信手段に向けて反射させたとしても、反射された赤外線に含まれる信号の第２搬送波周波数は、自機が送信手段によって照射する赤外線に含まれる信号の第１搬送波周波数と異なるので、隣接して設けられた遊技機の受信手段が、反射された赤外線に含まれる信号を復調することはできない。よって、誤受信を抑制することができるという効果がある。
【手続補正７】
【補正対象書類名】明細書
【補正対象項目名】００１３
【補正方法】削除
【補正の内容】
【手続補正書】
【提出日】平成27年1月29日(2015.1.29)
【手続補正１】
【補正対象書類名】特許請求の範囲
【補正対象項目名】全文
【補正方法】変更
【補正の内容】
【特許請求の範囲】
【請求項１】
遊技の主たる制御を行う主制御手段と、その主制御手段からの従制御信号に基づいて制御を行う従制御手段と、その従制御手段からの指示に基づいて演出を行う演出実行手段と、を備え、入賞役に当選すると遊技者が所定の遊技価値を獲得可能な入賞役遊技が実行される遊技機であって、
隣接して設けられた遊技機に対して赤外線通信により信号を送信する送信手段と、
前記隣接して設けられた遊技機から赤外線通信により送信される信号を受信する受信手段と、を備え、
前記従制御手段は、
前記従制御信号に基づいて行われる制御に関する情報を含む信号を、前記隣接して設けられた遊技機に対して送信するように、前記送信手段を制御する送信制御手段と、
前記受信手段によって前記隣接して設けられた遊技機より信号を受信した場合に、該信号と前記従制御信号とに基づいて、前記演出実行手段に所定の演出を実行させるよう指示を行う指示手段と、を備えることを特徴とする遊技機。
【請求項２】
信号を送信すべき遊技機が自機から何台だけ離れているかを示す第１情報を記憶する記憶手段と、
その記憶手段により記憶された第１情報に基づいて、信号を送信すべき遊技機が自機から何台だけ離れているかを示す第２情報を含めて、送信すべき信号を生成する信号生成手段と、を備え、
前記送信手段は、前記信号生成手段により生成された信号を、隣接して設けられた遊技機に対して赤外線通信により信号を送信するものであることを特徴とする請求項１記載の遊技機。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】変更
【補正の内容】
【０００８】
請求項２記載の遊技機は、請求項１記載の遊技機において、信号を送信すべき遊技機が自機から何台だけ離れているかを示す第１情報を記憶する記憶手段と、その記憶手段により記憶された第１情報に基づいて、信号を送信すべき遊技機が自機から何台だけ離れているかを示す第２情報を含めて、送信すべき信号を生成する信号生成手段と、を備え、前記送信手段は、前記信号生成手段により生成された信号を、隣接して設けられた遊技機に対して赤外線通信により信号を送信するものである。
【手続補正４】
【補正対象書類名】明細書
【補正対象項目名】０００９
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
請求項２記載の遊技機によれば、請求項１記載の遊技機の奏する効果に加え、次の効果を奏する。即ち、信号を送信すべき遊技機が自機から何台だけ離れているかを示す第１情報が記憶手段に記憶されており、その記憶手段により記憶された第１情報に基づいて、信号を送信すべき遊技機が自機から何台だけ離れているかを示す第２情報を含めて、送信すべき信号が信号生成手段によって生成される。そして、その信号生成手段によって生成された信号が、送信手段によって、隣接して設けられた遊技機に対して赤外線通信により送信される。これにより、隣接して設けられた遊技機は、その送信手段によって送信された信号を受信すると、その信号に含まれる第２情報に基づいて、この信号が自機に対して送信されたものか、別の遊技機に対して送信されたものかを判断することができる。そして、自機に対して送信されたものであると判断した場合は、その信号と、主制御装置からの従制御信号とに基づいて、従制御手段の指示手段により、演出実行手段に所定の演出を実行させるよう指示が行われる。一方、別の遊技機に対して送信されたものであると判断した場合は、その信号を、その別の遊技機に向けて送信することができる。よって、島設備等に複数並べて遊技機が設置された場合に、離れて設置された遊技機との間で簡単に信号の送受信を行うことができる。従って、遊技機間を簡易に連結しつつ、離れて設置されている遊技機との間でも、その遊技機とまたがって演出を実行できるという効果がある。
【手続補正７】
【補正対象書類名】明細書
【補正対象項目名】００１３
【補正方法】削除
【補正の内容】
【手続補正書】
【提出日】平成27年1月29日(2015.1.29)
【手続補正１】
【補正対象書類名】特許請求の範囲
【補正対象項目名】全文
【補正方法】変更
【補正の内容】
【特許請求の範囲】
【請求項１】
演算装置が、複数の嵌合足が対応する嵌合穴に嵌合して互いに組み付く第１及び第２ワークの各嵌合足のそれぞれについて、前記対応する嵌合穴に挿入される長さである挿入長のデータを取得するデータ取得工程と、
前記取得した嵌合足の挿入長のデータに基づいて、挿入長の長い嵌合足から順番に前記嵌合穴に挿入するように嵌合足の挿入順序を設定する挿入順序設定工程と、を備えた、
ことを特徴とするワークの組み立て手順演算方法。
【請求項２】
前記演算装置は、前記挿入順序設定工程にて挿入長が同じ嵌合足が複数ある場合、
これら挿入長が同じ嵌合足のすべてが同一直線上にあれば、両端部に位置する嵌合足の内、いずれか一方を第１基準嵌合足とし、この第１基準嵌合足から他端側の嵌合足に向かって順番に嵌合穴に挿入するように挿入順序を設定し、
前記嵌合足が３本以上であって前記挿入長が同じすべての嵌合足が同一直線上になければ、これら挿入長の同じ嵌合足によって囲まれた囲繞領域の面積が最大となる嵌合足の組み合わせにおいて、頂点部に位置する嵌合足の１つを第２基準嵌合足とし、この第２基準嵌合足を通りかつ前記囲繞領域内を通らないように引かれた基準線からの距離が近い嵌合足から順に嵌合穴に挿入するように挿入順序を設定する、
請求項１記載のワークの組み立て手順演算方法。
【請求項３】
前記演算装置は、前記挿入順序設定工程にて前記挿入長が同じ嵌合足のすべてが同一直線上になく、前記基準線の平行線上に複数の嵌合足がある場合、これら平行線上にある嵌合足の内、両端部に位置する嵌合足のいずれか一方の嵌合足を第３基準嵌合足とし、この第３基準嵌合足から他端側の嵌合足に向かって順番に嵌合穴に挿入するように挿入順序を設定する、
請求項２記載のワークの組み立て手順演算方法。
【請求項４】
前記演算装置は、前記データ取得工程にて、前記複数の嵌合足のそれぞれについての強度データを取得し、
前記第１基準嵌合足は、両端部に位置する前記嵌合足の内、強度の低い方の嵌合足が選択され、前記第２基準嵌合足は、頂点部に位置する前記嵌合足の内、最も強度の低い嵌合足が選択され、前記第３基準嵌合足は、両端部に位置する前記嵌合足の内、強度の低い方の嵌合足が選択される、
請求項３記載のワークの組み立て手順演算方法。
【請求項５】
前記強度データは、嵌合足の剛性もしくは許容変形量である、
請求項４記載のワークの組み立て手順演算方法。
【請求項６】
請求項１乃至５のいずれか１項記載のワークの組み立て手順演算方法を、コンピュータに実行させるための組み立て手順演算プログラム。
【請求項７】
複数の嵌合足が対応する嵌合穴に嵌合して互いに組み付く第１及び第２ワークの少なくとも一方のワークを把持し、他方のワークに組み付けるロボットアームと、
挿入長の長い嵌合足から順番に対応する前記嵌合穴に挿入するように嵌合足の挿入順序を設定する演算装置と、を備えた、
ことを特徴とする自動組立ロボット。
【手続補正書】
【提出日】平成27年1月23日(2015.1.23)
【手続補正１】
【補正対象書類名】特許請求の範囲
【補正対象項目名】全文
【補正方法】変更
【補正の内容】
【特許請求の範囲】
【請求項１】
樹脂成型品からなる挿入部を有する眼内レンズ挿入器具の処理方法において、
前記挿入部に添加されている所定の添加物を加温処理により析出させる第１工程と、
該第１工程にて前記挿入部の内壁に析出された前記添加物を除去する第２工程と、
を含むことを特徴とする眼内レンズ挿入器具の処理方法。
【請求項２】
請求項１に記載の眼内レンズ挿入器具の処理方法において、
前記第１工程の加温処理の温度は室温より高く、前記添加物の融点よりも低い温度であることを特徴とする眼内レンズ挿入器具の処理方法。
【請求項３】
請求項１または２に記載の眼内レンズ挿入器具の処理方法において、
前記加温処理の温度は５０℃以上６５℃以下であることを特徴とする眼内レンズ挿入器具の処理方法。
【請求項４】
請求項１〜３のいずれか１項に記載の眼内レンズ挿入器具の処理方法において、
前記第１工程の加温処理は前記挿入部の表面に析出される前記添加物の析出量が飽和する期間行われることを特徴とする眼内レンズ挿入器具の処理方法。
【請求項５】
請求項１〜４のいずれか１項に記載の眼内レンズ挿入器具の処理方法において、
前記第１工程の加温処理の期間は１０日以上１ヶ月以下であることを特徴とする眼内レンズ挿入器具の処理方法。
【手続補正２】
【補正対象書類名】明細書
【補正対象項目名】０００８
【補正方法】変更
【補正の内容】
【０００８】
（１）  樹脂成型品からなる挿入部を有する眼内レンズ挿入器具の処理方法において、前記挿入部に添加されている所定の添加物を加温処理により析出させる第１工程と、該第１工程にて前記挿入部の内壁に析出された前記添加物を除去する第２工程と、を含むことを特徴とする。
【手続補正書】
【提出日】平成27年1月27日(2015.1.27)
【手続補正１】
【補正対象書類名】特許請求の範囲
【補正対象項目名】全文
【補正方法】変更
【補正の内容】
【特許請求の範囲】
【請求項１】
術者が保持するハンドピースと、
移植片を所定の流体と共に吸引する吸引ノズルと、
移植片を所定の流体と共に排出する排出ノズルであって，前記吸引ノズルの径より小さい径とされる排出ノズルと、
前記吸引ノズルと前記排出ノズルとを接続し、前記吸引ノズルの流路の断面形状を前記排出ノズルの流路の断面形状に移行させる接続パイプと、
前記吸引ノズルから移植片を前記流体とともに吸引するための吸引ユニットと、
前記排出ノズルから移植片を前記流体とともに排出するための排出ユニットと、
を備える、ことを特徴とする手術器具。
【請求項２】
請求項１の手術器具において、
前記排出ノズルの少なくとも先端の断面形状は、扁平形状の両端が近接するように丸めた弓なり形状とされる、
ことを特徴とする手術器具。
【請求項３】
請求項１又は２の手術器具において、
前記吸引ユニットは、
前記接続パイプに接続された吸引パイプと、
該吸引パイプを介して前記吸引ノズルに吸引圧を付加する吸引ポンプと、を含み、
前記排出ユニットは、
前記接続パイプに接続され，前記吸引パイプとは異なる排出パイプと、
該排出パイプを介して前記排出ノズルに排出圧を付加する排出ポンプと、を含み、
前記吸引パイプと前記接続パイプの接続箇所は、前記排出パイプと前記接続パイプの接続箇所よりも前記排出ノズル側に配置される、
ことを特徴とする手術器具。
【請求項４】
請求項１〜３の何れかの手術器具において、
前記吸引ユニットと前記排出ユニットは、
吸引と排出を切り替えられるポンプと、
前記接続パイプに接続され吸引経路となる吸引パイプと、
前記接続パイプに接続され排出経路となる排出パイプと、
前記吸引パイプと前記排出パイプを介して前記ポンプに接続する吸引排出チューブと、
を有し、
前記吸引パイプの流路を塞ぐために、前記吸引パイプに設けられた弁と、
前記排出パイプの流路を塞ぐために、前記排出パイプに設けられた弁と、
を備える、
ことを特徴とする手術器具。
【請求項５】
術者が保持するハンドピースと、
移植片を所定の流体と共に吸引する吸引ノズルと、
移植片を所定の流体と共に排出する排出ノズルであって，前記吸引ノズルの径より小さい径で，流路の断面形状が移植片を丸める屈曲形状である排出ノズルと、
前記吸引ノズルと前記排出ノズルとを接続し、前記吸引ノズルの流路の断面形状を徐々に前記排出ノズルの流路の断面形状に移行させる接続パイプと、
を備える、ことを特徴とする手術器具。
【手続補正２】
【補正対象書類名】明細書
【補正対象項目名】０００７
【補正方法】変更
【補正の内容】
【０００７】
本発明は、上記課題を解決するために、以下の構成を有することを特徴とする。
（１）  術者が保持するハンドピースと、移植片を所定の流体と共に吸引する吸引ノズルと、移植片を所定の流体と共に排出する排出ノズルであって，前記吸引ノズルの径より小さい径とされる排出ノズルと、前記吸引ノズルと前記排出ノズルとを接続し、前記吸引ノズルの流路の断面形状を前記排出ノズルの流路の断面形状に移行させる接続パイプと、前記吸引ノズルから移植片を前記流体とともに吸引するための吸引ユニットと、前記排出ノズルから移植片を前記流体とともに排出するための排出ユニットと、を備える、ことを特徴とする。
（２）  （１）の手術器具において、前記排出ノズルの少なくとも先端の断面形状は、扁平形状の両端が近接するように丸めた弓なり形状とされる、ことを特徴とする。
（３）  （１）又は（２）の手術器具において、前記吸引ユニットは、前記接続パイプに接続された吸引パイプと、該吸引パイプを介して前記吸引ノズルに吸引圧を付加する吸引ポンプと、を含み、前記排出ユニットは、前記接続パイプに接続され，前記吸引パイプとは異なる排出パイプと、該排出パイプを介して前記排出ノズルに排出圧を付加する排出ポンプと、を含み、前記吸引パイプと前記接続パイプの接続箇所は、前記排出パイプと前記接続パイプの接続箇所よりも前記排出ノズル側に配置される、ことを特徴とする。
（４）  （１）〜（３）の何れかの手術器具において、前記吸引ユニットと前記排出ユニットは、吸引と排出を切り替えられるポンプと、前記接続パイプに接続され吸引経路となる吸引パイプと、    前記接続パイプに接続され排出経路となる排出パイプと、前記吸引パイプと前記排出パイプを介して前記ポンプに接続する吸引排出チューブと、を有し、前記吸引パイプの流路を塞ぐために、前記吸引パイプに設けられた弁と、前記排出パイプの流路を塞ぐために、前記排出パイプに設けられた弁と、を備える、ことを特徴とする。
（５）  術者が保持するハンドピースと、移植片を所定の流体と共に吸引する吸引ノズルと、移植片を所定の流体と共に排出する排出ノズルであって，前記吸引ノズルの径より小さい径で，流路の断面形状が移植片を丸める屈曲形状である排出ノズルと、前記吸引ノズルと前記排出ノズルとを接続し、前記吸引ノズルの流路の断面形状を徐々に前記排出ノズルの流路の断面形状に移行させる接続パイプと、を備える、ことを特徴とする。
【手続補正書】
【提出日】平成27年7月28日(2015.7.28)
【手続補正１】
【補正対象書類名】特許請求の範囲
【補正対象項目名】全文
【補正方法】変更
【補正の内容】
【特許請求の範囲】
【請求項１】
遊技領域に設けられる始動領域への遊技球の受け入れに応じて抽選遊技を実行可能な遊技機であって、
前記遊技領域のうち所定の方向に打ち込まれた遊技球が流下可能な特定遊技領域と、
前記特定遊技領域に進入した遊技球の流下方向を転換させる案内棚部と、
前記案内棚部の下流に設けられ、当該案内棚部によって流下方向を転換された遊技球が通過可能な第一分岐口及び第二分岐口と、
前記第一分岐口の下流に設けられ、前記特定遊技領域に流下した遊技球を受け入れ可能な入賞領域と、を備える遊技機。
【請求項２】
前記抽選遊技が特定結果となる場合に遊技者に有利な特典が付与される特典付与手段を有することを特徴とする請求項１に記載の遊技機。
【請求項３】
所定の演出画像を表示可能な表示装置を備えることを特徴とする請求項１又は請求項２に記載の遊技機。
【手続補正２】
【補正対象書類名】明細書
【補正対象項目名】０００２
【補正方法】変更
【補正の内容】
【０００２】
従来の遊技機には、遊技領域の略中央に設けられるセンター役物を挟んで左右の遊技領域に遊技球を流下可能なものがある（特許文献１、特許文献２、特許文献３）。
【手続補正３】
【補正対象書類名】明細書
【補正対象項目名】０００４
【補正方法】変更
【補正の内容】
【０００４】
しかし、上述した従来の遊技機は、どちらの遊技領域も障害釘によって当該遊技領域に打ち込まれた遊技球の流下方向を案内するものであり、遊技球の案内態様の視覚変化に乏しく、遊技の興趣が足りなかった。
【手続補正４】
【補正対象書類名】明細書
【補正対象項目名】０００５
【補正方法】変更
【補正の内容】
【０００５】
本発明が解決しようとする課題は、遊技者を楽しませることができる遊技機を提供することにある。
【手続補正５】
【補正対象書類名】明細書
【補正対象項目名】０００７
【補正方法】変更
【補正の内容】
【０００７】
本発明の遊技機は、遊技領域に設けられる始動領域への遊技球の受け入れに応じて抽選遊技を実行可能な遊技機であって、前記遊技領域のうち所定の方向に打ち込まれた遊技球が流下可能な特定遊技領域と、前記特定遊技領域に進入した遊技球の流下方向を転換させる案内棚部と、前記案内棚部の下流に設けられ、当該案内棚部によって流下方向を転換された遊技球が通過可能な第一分岐口及び第二分岐口と、前記第一分岐口の下流に設けられ、前記特定遊技領域に流下した遊技球を受け入れ可能な入賞領域と、を備える。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】変更
【補正の内容】
【００１４】
本発明の遊技機によれば、案内棚部によって第一分岐口及び第二分岐口のどちらへ遊技球が案内されるのかで、遊技者をハラハラ・ドキドキさせることができ、遊技者を楽しませることができる。
【手続補正書】
【提出日】平成27年7月28日(2015.7.28)
【手続補正１】
【補正対象書類名】特許請求の範囲
【補正対象項目名】全文
【補正方法】変更
【補正の内容】
【特許請求の範囲】
【請求項１】
始動条件の成立後、抽選遊技を実行可能な遊技機であって、
前記抽選遊技の結果を示唆する示唆演出を実行可能な可動役物を備え、
前記可動役物は、
前記示唆演出が開始されると、遊技者から当該可動役物の一部が視認不可能な待機位置に収容位置から移動し、
前記抽選遊技の結果が特定結果となる期待度に応じて、前記待機位置では視認不可能な部分の少なくとも一部が視認可能となる出現位置まで前記待機位置から移動する第１演出と、
前記待機位置で動作を開始し、前記出現位置まで移動せずに前記収容位置に戻る第２演出と、を実行可能であることを特徴とする遊技機。
【請求項２】
前記抽選遊技が特定結果となる場合に遊技者に有利な特典が付与される特典付与手段を有することを特徴とする請求項１に記載の遊技機。
【請求項３】
遊技領域に設けられた複数の入賞口のうち始動口に遊技媒体が入賞したことに基づいて前記始動条件が成立することを特徴とする請求項１又は請求項２に記載の遊技機。
【手続補正２】
【補正対象書類名】明細書
【補正対象項目名】０００２
【補正方法】変更
【補正の内容】
【０００２】
従来の遊技機には、役物を動作させることによって抽選遊技の結果を遊技者に示唆する演出を実行可能な遊技機が提供されている（特許文献１、特許文献２）。
【手続補正３】
【補正対象書類名】明細書
【補正対象項目名】０００３
【補正方法】変更
【補正の内容】
【０００３】
【特許文献１】特開２００９−１１２８６２号公報
【特許文献２】特開２００９−２０７７０３号公報
【手続補正４】
【補正対象書類名】明細書
【補正対象項目名】０００４
【補正方法】変更
【補正の内容】
【０００４】
上述した従来の遊技機では、抽選遊技が特定結果になる場合に所定の動作を行うものであったため、演出が単調になり、演出効果が低減してしまうおそれがあった。
【手続補正５】
【補正対象書類名】明細書
【補正対象項目名】０００５
【補正方法】削除
【補正の内容】
【手続補正６】
【補正対象書類名】明細書
【補正対象項目名】０００６
【補正方法】変更
【補正の内容】
【０００６】
そこで、本発明が解決しようとする課題は、上記事情に鑑みなされたもので、遊技者の興趣の低下を抑制することが可能な遊技機を提供することにある。
【手続補正７】
【補正対象書類名】明細書
【補正対象項目名】０００８
【補正方法】変更
【補正の内容】
【０００８】
始動条件の成立後、抽選遊技を実行可能な遊技機であって、
前記抽選遊技の結果を示唆する示唆演出を実行可能な可動役物を備え、
前記可動役物は、
前記示唆演出が開始されると、遊技者から当該可動役物の一部が視認不可能な待機位置に収容位置から移動し、
前記抽選遊技の結果が特定結果となる期待度に応じて、前記待機位置では視認不可能な部分の少なくとも一部が視認可能となる出現位置まで前記待機位置から移動する第１演出と、
前記待機位置で動作を開始し、前記出現位置まで移動せずに前記収容位置に戻る第２演出と、を実行可能であることを特徴とする遊技機。
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】変更
【補正の内容】
【００１３】
本発明の遊技機によれば、上記課題を解決し、遊技の興趣の低下を抑制することが可能となる。
【手続補正書】
【提出日】平成27年7月28日(2015.7.28)
【手続補正１】
【補正対象書類名】特許請求の範囲
【補正対象項目名】全文
【補正方法】変更
【補正の内容】
【特許請求の範囲】
【請求項１】
遊技領域に設けられる始動領域への遊技球の受け入れに応じて抽選遊技を実行可能な遊技機であって、
前記遊技領域のうち所定の方向に打ち込まれた遊技球が流下可能な特定遊技領域と、
前記特定遊技領域を流下する遊技球を受け入れ可能な入賞領域を有する第一流路と、
前記第一流路の下流端に開口し、前記入賞領域に受け入れられなかった遊技球を前記特定遊技領域外へ放出可能な第一放出口と、
前記特定遊技領域を流下する遊技球が流下可能であって前記入賞領域に案内不能な第二流路と、
前記第二流路の下流端に開口し、当該第二流路を流下した遊技球を前記特定遊技領域外へ放出可能な第二放出口と、
前記入賞領域よりも上流に設けられ、前記特定遊技領域に流下した遊技球を前記第一流路と前記第二流路とに分岐可能な分岐部と、
開閉部材の開閉動作によって前記入賞領域への遊技球の受け入れ状態を変化可能な大入賞口と、を備える遊技機。
【請求項２】
前記抽選遊技が特定結果となる場合に遊技者に有利な特典が付与される特典付与手段を有することを特徴とする請求項１に記載の遊技機。
【請求項３】
所定の演出画像を表示可能な表示装置を備えることを特徴とする請求項１又は請求項２に記載の遊技機。
【手続補正２】
【補正対象書類名】明細書
【補正対象項目名】０００２
【補正方法】変更
【補正の内容】
【０００２】
従来の遊技機には、遊技領域に設けられる障害釘によって当該遊技領域に打ち込まれた遊技球の流下方向を案内するものがある（特許文献１、特許文献２、特許文献３）。
【手続補正３】
【補正対象書類名】明細書
【補正対象項目名】０００４
【補正方法】変更
【補正の内容】
【０００４】
しかし、上述した従来の遊技機は、遊技機に慣れていない遊技者にとって入賞領域を狙うのは難易度が高く、容易に遊技を楽しめなかった。
【手続補正４】
【補正対象書類名】明細書
【補正対象項目名】０００５
【補正方法】変更
【補正の内容】
【０００５】
本発明が解決しようとする課題は、遊技機に慣れていない遊技者でも容易に遊技を楽しむことができる遊技機を提供することにある。
【手続補正５】
【補正対象書類名】明細書
【補正対象項目名】０００７
【補正方法】変更
【補正の内容】
【０００７】
本発明の遊技機は、遊技領域に設けられる始動領域への遊技球の受け入れに応じて抽選遊技を実行可能な遊技機であって、前記遊技領域のうち所定の方向に打ち込まれた遊技球が流下可能な特定遊技領域と、前記特定遊技領域を流下する遊技球を受け入れ可能な入賞領域を有する第一流路と、前記第一流路の下流端に開口し、前記入賞領域に受け入れられなかった遊技球を前記特定遊技領域外へ放出可能な第一放出口と、前記特定遊技領域を流下する遊技球が流下可能であって前記入賞領域に案内不能な第二流路と、前記第二流路の下流端に開口し、当該第二流路を流下した遊技球を前記特定遊技領域外へ放出可能な第二放出口と、前記入賞領域よりも上流に設けられ、前記特定遊技領域に流下した遊技球を前記第一流路と前記第二流路とに分岐可能な分岐部と、開閉部材の開閉動作によって前記入賞領域への遊技球の受け入れ状態を変化可能な大入賞口と、を備える。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】変更
【補正の内容】
【００１２】
本発明の遊技機によれば、遊技機に慣れていない遊技者でも容易に楽しむことができる。
【手続補正書】
【提出日】平成27年7月28日(2015.7.28)
【手続補正１】
【補正対象書類名】特許請求の範囲
【補正対象項目名】全文
【補正方法】変更
【補正の内容】
【特許請求の範囲】
【請求項１】
遊技領域に設けられる始動領域への遊技球の受け入れに応じて抽選遊技を実行可能な遊技機であって、
前記遊技領域の後端を区画する遊技パネルと、
前記遊技領域のうち所定の方向に打ち込まれた遊技球が流下可能な特定遊技領域の前端を区画する前面カバーと、
前記前面カバーの裏面に後方に向かって突設される突壁と、を備え、
前記遊技パネルを後端とし、前記前面カバーを前端とする特定遊技領域には、前記突壁によって複数の流路が形成され、特定の流路を流下する遊技球を受け入れ可能な入賞部が設けられることを特徴とする遊技機。
【請求項２】
前記抽選遊技が特定結果となる場合に遊技者に有利な特典が付与される特典付与手段を有することを特徴とする請求項１に記載の遊技機。
【請求項３】
所定の演出画像を表示可能な表示装置を備えることを特徴とする請求項１又は請求項２に記載の遊技機。
【手続補正２】
【補正対象書類名】明細書
【補正対象項目名】０００２
【補正方法】変更
【補正の内容】
【０００２】
従来の遊技機には、遊技領域に設けられる障害釘によって当該遊技領域に打ち込まれた遊技球の流下方向を案内するものがある（特許文献１、特許文献２、特許文献３）。
【手続補正３】
【補正対象書類名】明細書
【補正対象項目名】０００４
【補正方法】削除
【補正の内容】
【手続補正４】
【補正対象書類名】明細書
【補正対象項目名】０００５
【補正方法】変更
【補正の内容】
【０００５】
しかし、障害釘によって遊技球を案内する場合は、遊技球の当接等によって障害釘が傾くことで遊技球の案内方向が変化してしまい、入賞口への受入確率が変わってしまう可能性があった。このため、入賞口への受入確率を長期に亘って当初の状態を維持できず、遊技者を楽しませることができなかった。
【手続補正５】
【補正対象書類名】明細書
【補正対象項目名】０００６
【補正方法】変更
【補正の内容】
【０００６】
そこで、本発明が解決しようとする課題は、遊技者を楽しませることが可能な遊技機を提供することにある。
【手続補正６】
【補正対象書類名】明細書
【補正対象項目名】０００８
【補正方法】変更
【補正の内容】
【０００８】
本発明の遊技機は、遊技領域に設けられる始動領域への遊技球の受け入れに応じて抽選遊技を実行可能な遊技機であって、前記遊技領域の後端を区画する遊技パネルと、前記遊技領域のうち所定の方向に打ち込まれた遊技球が流下可能な特定遊技領域の前端を区画する前面カバーと、前記前面カバーの裏面に後方に向かって突設される突壁と、を備え、前記遊技パネルを後端とし、前記前面カバーを前端とする特定遊技領域には、前記突壁によって複数の流路が形成され、特定の流路を流下する遊技球を受け入れ可能な入賞部が設けられることを特徴とする。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】変更
【補正の内容】
【００１３】
本発明の遊技機によれば、突壁による壁状の流路によって遊技球を入賞部へ案内するので、入賞部への受入確率を長期に亘って当初の状態に維持し続けることができ、遊技者を十分楽しませることができる。
【手続補正書】
【提出日】平成27年1月6日(2015.1.6)
【手続補正１】
【補正対象書類名】特許請求の範囲
【補正対象項目名】請求項２
【補正方法】変更
【補正の内容】
【請求項２】
前記転造ダイスの前記落ち込み部において該落ち込み部の底部から前記ダイス面の頂部へ立ち上がって行く立ち上がり部と前記突条との間に形成されるエッジ部が鈍くされている請求項１記載の雄ねじ製造方法。
【手続補正２】
【補正対象書類名】明細書
【補正対象項目名】００２９
【補正方法】変更
【補正の内容】
【００２９】
また、ねじ山４の１リード分につき４つの凸部６〜９を有しているため、通常の雄ねじ１の製造に使用される標準的な線径の素材を用いても、凸部６〜９を雌ねじのフランクに強く押圧させることができるので、従来のように素材の線径を太くせず、標準的な線径の素材を用いることができる。
【手続補正３】
【補正対象書類名】明細書
【補正対象項目名】００３０
【補正方法】変更
【補正の内容】
【００３０】
また、従来、プラスチック等の柔らかい材料に雄ねじを螺合する場合、過大な締め付けトルクを作用させて、被螺合材料の雌ねじ（自らねじ立てする場合を含む）を破壊してしまい、所謂ねじ馬鹿現象生じさせてしまうことが多かった。しかるに、この雄ねじ１によれば、第一および第三の凸部６，８の雄ねじ１の締め付け回転方向前端にフランク１０から立ち上がる前端段差部６ｂ，８ｂを有するので、締め付け作業時、適度にブレーキ力を作用させ、締め付けトルクが適度に大きくなるようにすることができるため、過大な締め付けトルクを作用させて、被螺合材料の雌ねじを破壊してしまい、所謂ねじ馬鹿現象生じさせてしまう虞を低減できる。
【手続補正４】
【補正対象書類名】明細書
【補正対象項目名】００４３
【補正方法】変更
【補正の内容】
【００４３】
また、固定ダイス１２の第一の落ち込み部１７および移動ダイス１３の第一の落ち込み部２３の立ち上がり部１７ｂ，２３ｂが突条１６，２２とそれぞれなすエッジ部３０，３１は鈍くしておかないと、これらのエッジ部３０，３１に素材１′が引っ掛かってしまい、素材１′が円滑に転がらず、したがって、上述のような転造加工をうまく行うことができない。実は、本発明者は、１つのダイスに２以上の落ち込み部を設けても、素材が進行する方向に関し最後方に位置されるものでない落ち込み部の立ち上がり部と突条との間に形成されるエッジ部に素材１′が引っ掛かってしまい、素材を円滑に転がすことができないので、１つのダイスによりねじ山１リード分当たりに複数の凸部を形成することは絶対不可能であると長年思い込んでいた。しかるに、落ち込み部の立ち上がり部と突条との間に形成されるエッジ部をＲ面取り、Ｃ面取り等の加工を施すことにより鈍くすれば、素材を転がすことが可能であることをようやく見出し、本願発明を完成させるに至ったという経緯がある。なお、前記立ち上がり部の傾斜を小さくすれば（ダイス面と立ち上がり部とがなす角度を小さくすれば）、前記エッジ部を鈍くしなくても転造を行うことができる可能性はあるが、そうすると凸部が過大になり、正規のねじ山部分が過小になるという問題を生じてしまう。
【手続補正５】
【補正対象書類名】明細書
【補正対象項目名】００４６
【補正方法】変更
【補正の内容】
【００４６】
なお、落ち込み部１７，２３の立ち上がり部１７ｂ，２３ｂもダイス面１４，２０に対して垂直とすることもできる。この場合、第一の凸部６および第三の凸部８の前端段差部６ｂ，８ｂがそれぞれ軸部２のほぼ径方向に形成される。ただし、実施例１のように落ち込み部１７，２３の立ち上がり部１７ｂ，２３ｂをダイス面１４，２０に対する垂直方向に対し５度以上傾斜させた方が落ち込み部１７，２３の加工が容易になる。しかし、３５度より大きく傾斜させると、前述のように凸部６，８が過大になり、正規のねじ山４部分が過小になるという問題を生じる虞がある。
【手続補正６】
【補正対象書類名】図面
【補正対象項目名】図２１
【補正方法】変更
【補正の内容】
【図２１】
2013154355.tif 000001
【手続補正書】
【提出日】平成27年1月28日(2015.1.28)
【手続補正１】
【補正対象書類名】特許請求の範囲
【補正対象項目名】全文
【補正方法】変更
【補正の内容】
【特許請求の範囲】
【請求項１】
原水流路を切り替える切替弁を有する切替器と、前記切替器に接続し原水をろ過するカートリッジとを有する浄水器であって、前記切替器に着脱可能に装備される保護カバーを有することを特徴とする浄水器。
【請求項２】
前記保護カバーが前記切替器の下方を覆い、さらに前記保護カバーが、原水吐水が挿通し得る開口を有することを特徴とする請求項１に記載の浄水器。
【請求項３】
前記切替器が、原水形状を形成する原水ストレート吐出口、および、原水形状を形成する原水シャワー吐出口を有することを特徴とする請求項１または２に記載の浄水器。
【請求項４】
前記保護カバーが前記切替器の下方を覆い、さらに前記保護カバーが、原水吐水形状を形成する吐出口を有することを特徴とする請求項１に記載の浄水器。
【請求項５】
前記切替器の表層が複数の部材から構成され、前記保護カバーが、前記複数の部材のうち少なくとも隣り合う二部材の境界の一部を覆うことを特徴とする請求項１〜４のいずれかに記載の浄水器。
【請求項６】
前記複数の部材が前記切替弁の少なくとも原水吐水部周縁を覆う下カバーを含み、前記保護カバーが、少なくとも、前記下カバーと、それに隣り合う他の前記複数の部材の部材との境界を覆うことを特徴とする請求項５に記載の浄水器。
【請求項７】
前記下カバーは複数の部材で構成され、前記保護カバーが前記下カバーを担う複数の部材の境界を覆うことを特徴とする請求項１〜６のいずれかに記載の浄水器。
【請求項８】
前記保護カバーを、前記切替器に対し手前に動かすことで着脱することを特徴とする請求項１〜７のいずれかに記載の浄水器。
【請求項９】
前記切替器が板バネ構造を有し、前記板バネ構造によって前記保護カバーを前記切替器に固定することを特徴とする請求項１〜８のいずれかに記載の浄水器。
【請求項１０】
前記保護カバーが指かけ窪みを有することを特徴とする請求項１〜９のいずれかに記載の浄水器。
【請求項１１】
前記切替器がカートリッジの交換時期表示手段を有し、前記保護カバーが前記切替器と前記交換時期表示手段の境界部を覆うことを特徴とする請求項１〜１０のいずれかに記載の浄水器。
【請求項１２】
前記保護カバーが前記切替器外形面形状に沿う肉薄の形状であることを特徴とする請求項１〜１１のいずれかに記載の浄水器。
【請求項１３】
前記保護カバーと前記切替器が水密にシールされることを特徴とする請求項１〜１２のいずれかに記載の浄水器。
【請求項１４】
原水を流出させる吐水キャップが前記切替弁の前記原水吐水部に着脱可能に取り付けられることを特徴とする請求項１〜１３のいずれかに記載の浄水器。
【請求項１５】
前記保護カバーが浄水吐水穴を有することを特徴とする請求項１〜１４のいずれかに記載の浄水器。
【手続補正書】
【提出日】平成26年11月17日(2014.11.17)
【手続補正１】
【補正対象書類名】特許請求の範囲
【補正対象項目名】全文
【補正方法】変更
【補正の内容】
【特許請求の範囲】
【請求項１】
鉄道車両の速度の測定値を取得する速度測定値取得ステップと、
前記鉄道車両の走行経路の勾配を示す関数を含む運動方程式を用いて、前記鉄道車両の
速度の計算値を求める速度算出ステップと、
前記速度の計算値と前記速度の測定値との差が最小となる、前記勾配を示す関数のパラ
メータ値を求めるパラメータ値取得ステップと、
前記パラメータ値取得ステップにて取得した、前記勾配を示す関数のパラメータ値に基
づいて前記走行経路の勾配を求める勾配情報取得ステップと、
を具備することを特徴とする勾配情報取得方法。
【請求項２】
前記速度測定値取得ステップは、
速度計による前記鉄道車両の速度の測定値を取得する速度計測定値取得ステップと、
前記鉄道車両が所定の位置を走行する時刻の情報を取得する走行時刻取得ステップと、
前記走行時刻取得ステップにて取得したデータに基づいて、前記速度計の測定値を補正
して前記鉄道車両の速度の測定値を求める速度計測定値補正ステップと、
を具備することを特徴とする請求項１に記載の勾配情報取得方法。
【請求項３】
勾配を求める対象の走行経路のうち前記勾配情報取得方法にて勾配を求める区間を決定
する区間決定ステップを具備することを特徴とする請求項１または請求項２に記載の勾配
情報取得方法。
【請求項４】
前記区間決定ステップにて、前記勾配を求める対象の走行経路の両方向各々について前
記勾配情報取得方法にて勾配を求める区間を決定することを特徴とする請求項３に記載の
勾配情報取得方法。
【請求項５】
請求項１から４のいずれか一項に記載の勾配情報取得方法を実行するステップと、
得られた勾配を示す情報を記憶媒体に記憶するステップと、
を具備することを特徴とする、勾配情報記憶済記憶媒体の作成方法。
【請求項６】
鉄道車両の速度の測定値を取得する速度測定値取得部と、
前記鉄道車両の走行経路の勾配を示す関数を含む運動方程式を用いて、前記鉄道車両の
速度の計算値を求める速度算出部と、
前記速度の計算値と当該速度の測定値との差が最小となる前記勾配を示す関数のパラメ
ータ値を求めるパラメータ値取得部と、
前記パラメータ値取得部が取得した前記勾配を示す関数のパラメータ値に基づいて前記
走行経路の勾配を求める勾配情報取得部と、
を具備することを特徴とする勾配情報取得装置。
【請求項７】
勾配情報取得装置としてのコンピュータに、
鉄道車両の速度の測定値を取得する速度測定ステップと、
前記鉄道車両の走行経路の勾配を示す関数を含む運動方程式を用いて、前記鉄道車両の
速度の計算値を求める速度算出ステップと、
前記速度の計算値と当該速度の測定値との差が最小となる前記勾配を示す関数のパラメ
ータ値を求めるパラメータ値取得ステップと、
前記パラメータ値取得ステップにて取得した前記勾配を示す関数のパラメータ値に基づ
いて前記走行経路の勾配を求める勾配情報取得ステップと、
を実行させるためのプログラム。
【手続補正２】
【補正対象書類名】明細書
【補正対象項目名】発明の名称
【補正方法】変更
【補正の内容】
【発明の名称】勾配情報取得方法、勾配情報記憶済記憶媒体の作成方法、勾配情報取得装置およびプログラム
【手続補正３】
【補正対象書類名】明細書
【補正対象項目名】０００１
【補正方法】変更
【補正の内容】
【０００１】
本発明は、勾配情報取得方法、勾配情報記憶済記憶媒体の作成方法、勾配情報取得装置およびプログラムに関する。
【手続補正４】
【補正対象書類名】明細書
【補正対象項目名】０００６
【補正方法】変更
【補正の内容】
【０００６】
本発明は、このような事情を考慮してなされたものであり、その目的は、専用の検測車
を必要とせず、比較的短時間で勾配情報を得られる勾配情報取得方法、勾配情報取得装置
、プログラム、および、得られた勾配情報を記憶する勾配情報記憶済記憶媒体の作成方法を提供することにある。
【手続補正５】
【補正対象書類名】明細書
【補正対象項目名】０００８
【補正方法】変更
【補正の内容】
【０００８】
また、本発明の一態様による勾配情報取得方法は、上述の勾配情報取得方法であって、前記速度測定値取得ステップは、速度計による前記鉄道車両の速度の測定値を取得する速度計測定値取得ステップと、前記鉄道車両が所定の位置を走行する時刻の情報を取得する走行時刻取得ステップと、前記走行時刻取得ステップにて取得したデータに基づいて、前記速度計の測定値を補正して前記鉄道車両の速度の測定値を求める速度計測定値補正ステップと、を具備することを特徴とする。
【手続補正６】
【補正対象書類名】明細書
【補正対象項目名】００１１
【補正方法】変更
【補正の内容】
【００１１】
また、本発明の一態様による勾配情報記憶済記憶媒体の作成方法は、上記のいずれかの勾配情報取得方法を実行するステップと、  得られた勾配を示す情報を記憶媒体に記憶するステップと、を具備することを特徴とする。
【手続補正書】
【提出日】平成27年3月25日(2015.3.25)
【手続補正１】
【補正対象書類名】特許請求の範囲
【補正対象項目名】全文
【補正方法】変更
【補正の内容】
【特許請求の範囲】
【請求項１】
金属基材（３０４）上に酸化物分散強化皮膜を形成する方法（１００）であって、
ＭＣｒＡｌＹ合金粒子を粉砕して、微粉体にして該粉体に含まれるＭＣｒＡｌＹ合金粒子の２５体積％以上が５μｍ未満の粒径を有する微粉体を形成するステップと、
微粉体を、追加のＭＣｒＡｌＹ合金粒子であってその９０体積％以上が５μｍ超の粒径を有する追加のＭＣｒＡｌＹ合金粒子と混合して、粉体混合物を形成するステップと、
粉体混合物を金属基材（３０４）に施工して皮膜を形成するステップと、
粉体混合物を加熱して皮膜内に酸化物分散質を析出させるステップと
を含む方法（１００）。
【請求項２】
前記ＭＣｒＡｌＹ合金粒子を粉砕するステップが、ＭＣｒＡｌＹ合金粒子をボールミルすることを含む、請求項１記載の方法（１００）。
【請求項３】
前記粉体混合物を金属基材に施工するステップが、粉体混合物を溶射することを含む、請求項１又は請求項２記載の方法（１００）。
【請求項４】
前記粉体混合物を加熱するステップが、粉体混合物を金属基材（３０４）に施工する際に粉体混合物を加熱することを含む、請求項１乃至請求項３のいずれか１項記載の方法（１００）。
【請求項５】
前記粉体混合物を加熱するステップが、粉体混合物を金属基材（３０４）に施工して皮膜を形成した後に粉体混合物を加熱することを含む、請求項１乃至請求項３のいずれか１項記載の方法（１００）。
【請求項６】
前記酸化物分散質が、酸化イットリウム、酸化クロム、酸化アルミニウム及びこれらの混合物の少なくとも１種を含む、請求項１乃至請求項５のいずれか１項記載の方法（１００）。
【請求項７】
前記酸化物分散質が１μｍ未満の平均粒径を有する、請求項１乃至請求項６のいずれか１項記載の方法（１００）。
【請求項８】
前記ＭＣｒＡｌＹ合金粒子に酸化物形成性添加剤を添加することをさらに含む、請求項１乃至請求項７のいずれか１項記載の方法（１００）。
【請求項９】
前記酸化物形成性添加剤が、モリブデン、チタン、タングステン、マンガン、クロム、イットリウム及びこれらの混合物を含む、請求項８記載の方法（１００）。
【請求項１０】
前記皮膜がボンドコートをなし、当該方法がさらに、ボンドコート（３０２）の上に遮熱コーティング（３０６）を施工することをさらに含む、請求項１乃至請求項９のいずれか１項記載の方法（１００）。
【請求項１１】
前記追加のＭＣｒＡｌＹ合金粒子の９０体積％以上が５５〜１１０μｍの粒径を有する、請求項１乃至請求項１０のいずれか１項記載の方法（１００）。